(57)【要約】【課題】複数の暖色系の光色を備えた、操作性が良い照明装置を提供すること。【解決手段】本発明に係る照明装置は、昼光色光を発光する昼光色LED６bと、電球色光を発光する電球色LED６cと、橙色光を発光する橙色LED６dとを備えたLED光源基板６を有し、リモコン送信機１０の同一ボタンで2,700K及び2,400K、2,000Kの3種類の光色の切り替えを行うことを特徴とする。【選択図】図１
2020030927.tif 000002
【特許請求の範囲】
【請求項１】
本発明は、昼光色光を発光する昼光色LEDと、電球色光を発光する電球色LEDと、橙色光を発光する橙色LEDとを備えた光源基板を有し、リモコン送信機の同一ボタンで2,700K及び2,400K、2,000Kの3種類の光色の切り替えを行うことを特徴とする。
【請求項２】
請求項１に記載の照明装置において、リモコン送信機の同一ボタンで切り替え操作可能な2,700K及び2,400K、2,000Kの各ポジションの明るさは、全灯時の明るさの50％、30％、10％であることを特徴とする照明装置。
【請求項３】
前記、リモコン送信機の同一ボタンで切り替え操作可能な2,700K及び2,400K、2,000Kそれぞれのポジションにおいて調光可能であることを特徴とする請求項１に記載の照明装置。
【発明の詳細な説明】
【技術分野】
【０００１】
本発明は、LED(Light Emitting Diode)素子を光源として備えるLED照明装置に関するものである。
【背景技術】
【０００２】
従来、照明装置において異なる波長のLED素子の組み合わせによって、光色を変化させる機能を有した照明装置が知られている。
【先行技術文献】
【特許文献】
【０００３】
【特許文献１】特開2013-98038
【発明の概要】
【発明が解決しようとする課題】
【０００４】
特許文献１に記載の照明装置では、相関色温度の異なる２種類のLED素子を有している。このような照明装置では、各々のLEDの電流調整を行うことで、照射光の調色を実現している。しかしながら、一般的なLED照明装置に用いられる昼光色LED(相関色温度：5,700〜7,100K)と電球色LED(相関色温度：2,600〜3,250K)といった色温度が大きく異なる２種類のLED素子で調色を行うと、LED素子の発光色が混色しなかったり、照射面に粒見えが発生したりすることで光ムラが発生する恐れがある。
【０００５】
本発明では、前述の課題を解決し、複数の暖色系の光色を備えた、操作性の良いLED照明装置の提供を目的とするものである。
【課題を解決するための手段】
【０００６】
本発明は、昼光色光を発光する昼光色LEDと、電球色光を発光する電球色LEDと、橙色光を発光する橙色LEDとを備えた光源基板を有し、リモコン送信機の同一ボタンで2,700K及び2,400K、2,000Kの3種類の光色の切り替えを行うことを特徴とする。
【発明の効果】
【０００７】
本発明では、昼光色光を発光する昼光色LEDと、電球色光を発光する電球色LEDと、橙色光を発光する橙色LEDの３種類を搭載することで、色ムラを低減したLED照明装置を提供することができる。さらに、リモコン送信機の同一ボタンで３種類の光色の切り替えを行うことで、簡単な操作で調色が可能なLED照明装置を提供することができる。
【０００８】
これにより、照射光の色ムラを低減するとともに、操作性の良いLED照明装置を提供することができる。
【図面の簡単な説明】
【０００９】
【図１】本発明の実施形態に係るLED照明装置を示す図であり、LED照明装置を斜め下方向から見たときの状態を示す分解斜視図である。
【図２】LED光源基板の正面図である。
【図３】リモコン送信機を示した図である。
【図４】３種類の暖色の光色の切り替わり方を示した図である。
【発明を実施するための形態】
【００１０】
次に、本発明の実施形態に係るLED照明装置(LEDシーリングライト)について説明する。なお、本実施形態では、LED照明装置１の一例をして、平面視して円形のものを例に挙げて説明するが、形状はこれに限定されず、例えば、四角形、六角形、八角形等の多角形のものにも提供することもできる。また、本実施形態では、以下、主照明用光源としてLEDを用いたLED照明装置１として説明するが、主照明光源はLEDに限定されるものではない。
【００１１】
図１に示すように、LED照明装置１は、バックボーン２、絶縁板３、電源基板４、反射板５、LED光源基板６、反射シート７、LEDカバー８、透光カバー９を備えて構成されている。
【００１２】
バックボーン２は、略環形状の鋼板部品であり、中央部には取付けアダプタ(図示省略)を係止させるための取付け孔２aを有している。
【００１３】
絶縁板３は、難燃性及び電気絶縁性を有する構成樹脂で形成され、バックボーン２にねじで固定される。また、絶縁板３はLED照明装置１を天井面や所定位置に固定し、取付けアダプタに接続するための筒状の突起３aを有する。
【００１４】
電源基板４は、制御部を含む点灯回路を有し、絶縁板３を介してバックボーン２にねじ止めされている。絶縁板３を介することで、電気絶縁性を維持した状態で配置される。また、電源基板４から電線(図示省略)を介して取付けアダプタと電気的に接続される。さらに、電源基板４は電線により接続され、LED光源基板６の点灯状態を制御し、調色や調光等の点灯状態の切り替えを行うことができる。
【００１５】
反射板５は、略環形状の鋼板部品であり、中央部には、バックボーン２と絶縁板３の取付け孔２a及び筒状の突起３aと対応する貫通孔５aを有している。
【００１６】
貫通孔５aを中心とした左右上下対称の位置にねじ用の穴を有しており、この穴を介してLED光源基板６と反射シート７とLEDカバー８が共締め固定される。
【００１７】
また、反射板５は中央部に向かって台形状に凸部を有しており、この凸部にLED光源基板６を取り付けることでLED光源基板６の熱を放熱して冷却する役割を果たす。
【００１８】
LED光源基板６は、略環形状の部品であり、中央部には、バックボーン２と絶縁板３と反射板５の取付け孔２a及び筒状の突起３a、貫通孔５aに対応する貫通孔６aを有している。
【００１９】
また、前記光源基板６の平面部における円周上の複数列にLED素子を複数個有している。LED素子は昼光色LED６bと電球色LED６cと橙色LED６dの３種類から構成され、昼光色LEDはピーク波長430〜460nmの昼光色光を発光することを特徴とし、電球色LEDはピーク波長550nm〜650nmの電球色光を発光することを特徴とし、橙色LEDはピーク波長580nm〜640nmの橙色光を発光することを特徴とする。
【００２０】
なお、LEDの配置等については後記する。また、LED素子はこれに限定されるものではない。
【００２１】
反射シート７は、LED素子群６eから出射された光のうち、LEDカバー８や透光カバー９からの天井側への戻り光を床側へ反射させる機能を有し、LED光源基板６の形状に対応するように、略環形状であり、貫通孔７a及びLED素子群６eを避けるための楕円状の穴(図示省略)を複数有している。
【００２２】
LEDカバー８は、円形の板面を有し、板面上にはLED素子の配列に対応したレンズ機能を持つ凸部を複数有しており、特定のレンズの表面あるいは裏面にはシボを有しており、LED素子群からの出射光を拡散させ色ムラ等を軽減する機能を有する。円形の板面の側面には反射板５の台形状の凸部に沿う壁面を有しており、LED光源基板６との絶縁の役割を果たす。
【００２３】
また、LEDカバー８の板面部の外径と内径の中央に位置する円周上にねじ穴を有しており、LED光源基板６及び反射シート７とともに反射板５にねじにより共締め固定される。
【００２４】
透光カバー９は、バックボーン２の外周部に合わさり、径方向に回転させることで、透光カバー９の凸部が受け具(図示省略)と嵌合し、着脱可能に取付けられる。透光カバー９は光を拡散させる効果があり、まぶしさの軽減や、空間にムラなく光を広げる効果がある。
【００２５】
図２は、LED光源基板６の正面図を示しており、略環形状の平面部を有し、平面部にはLED素子群６eが円周上の複数列に渡り配置されている。また、平面部には電源基板４と電線(図示省略)を介して接続するためのコネクタ部６fやリモコン送信機１０の送信部１０aから送信された信号を受信するための受光部６gを有している。LED素子群６eは昼光色LED６bと、電球色LED６cと、橙色LED６dから構成され、各LED素子は発光した際に万遍なく広がり、色ムラを軽減させるようにそれぞれの配置列ごとに一定の間隔で配置されている。橙色LED６dはLED素子群６eが配置されている複数列において、最外周列から３列目の円周上に保安灯用LED６ｈを挟んで配置されている。
【００２６】
図３は、LED照明装置１を操作するためのリモコン送信機１０を示しており、前記リモコン送信機１０は送信部１０aと、複数の操作ボタン群１０bとを有する。操作ボタン群１０bは全灯ボタン１０c及び明るさを調節するボタン１０d、光色を調節するボタン１０e、３種類の暖色で点灯するボタン１０f、メモリーボタン１０g等から構成される。前記の操作ボタン群１０bを押下することで、押下したボタンに対応した信号が送信部１０aから送信され、LED光源基板６の受信部６gが信号を受信することで、電源基板４がLED素子群６eに流す電流等を制御し、任意の点灯状態に切り替えることができる。例えば、全灯ボタン１０cを押すと、定格光束の明るさで点灯する点灯状態に切り替えることができる。
【００２７】
また、LED照明装置１が点灯している状態で、明るさを調節するボタン１０dを押下することで、LED素子群６eに流す電流を調整し、照射光の明るさを明るくしたり、暗くしたりすることができ、光色を調節するボタン１０eを押下することで、昼光色LED６bと電球色LED６cに流す電流を調整し、照射光の色を調色することができる。３種類の暖色で点灯するボタン１０fは、ボタンを押下する度に、照射光の色温度を暖色系の光色である2,700K及び2,400K、2,000Kに点灯状態を切り替えることができ、その切り替えの点灯順序は繰り返される(図４)。このとき、照射光が各色温度になるように、LED素子群６eに流す電流等を制御し、それぞれの色温度を実現する。照射光の色温度を2,700Kにするときは、電球色LED６cのみを電流調整し点灯させる。照射光の色温度を2,400Kにするときは、電球色LED６cと橙色LED６dに流す電流を調整し点灯させる。照射光の色温度を2,000Kにするときは、橙色LED６dのみを電流調整し点灯させる。このように橙色LED６dを搭載することで暖色系の光色を色ムラなく実現することができる。
【００２８】
また、各色温度のポジションにおけるデフォルトの明るさは、2,700Kのとき定格光束の50％、2,400Kのとき定格光束の30％、2,000Kのとき定格光束の10％となる。ただし、明るさについてはこれに限定されるものではない。
【００２９】
また、各色温度のポジションにおいて、明るさを調節するボタン１０dを押下することで明るさを調整することができ、さらにメモリーボタン１０gを数秒間押下することで、点灯しているポジションおよびそのポジションの明るさを３種類の暖色で点灯するボタン１０fに記憶することができ、記憶した後は、繰り返される点灯順序は記憶したポジションから開始する。このように、1つのボタンで点灯状態の切り替えを行うことで、操作性の単純化や、他のボタンに他機能を割り当てることができ、機能追加の余地を与えることが可能となる。
【００３０】
なお、本発明は、前記実施形態に限定されるものではなく、その技術的思想の範囲内で種々の改造及び変更が可能であり、本発明はこれら改造及び変更された発明にもおよぶことは勿論である。
【００３１】
例えば、実施例は床側にのみ光源を有しているが、照明装置の背面(天井側)に本発明同様のLED素子構成を有したLED光源基板を有してもよい。このとき、LED光源基板は照明装置背面の外周に沿うような略環形状であり、前記LED光源基板は照明装置背面の外周側平面部に配置され、照射光を拡散するための拡散カバー(図示省略)がLED光源基板を覆うように取り付けられる。LED光源基板上には出射光が天井側を向くように出射面を天井側に向けてLED素子が円周上に一様に配置される。前記拡散カバーを介して、天井側に向かって出射されるLED素子からの出射光が拡散され、照明装置の全周方向へ照射される。このように照明装置の全周方向への照射が可能になるようにLED素子が円周上に一様に配置されたLED光源基板を照明装置の背面上に配置することで、照明装置の全周方向へ光を出射し、周方向において光らない部分や影部等をなくし、照明装置設置の方向性をなくすことができるとともに、照射空間の光ムラ等を低減することが可能である。
【符号の説明】
【００３２】
１    LED照明装置
２    バックボーン
２a   取付け孔
２b   開口部
３    絶縁板
３a   筒状の突起
４    電源基板
５    反射板
５a   貫通孔
６    光源基板
６a   貫通孔
６b   昼光色LED
６c   電球色LED
６d   橙色LED
６e   LED素子群
６f   コネクタ部
６g   受光部
７    反射シート
７a   貫通孔
８    LEDカバー
９    透光カバー
１０  リモコン
１０a 送信部
１０b 操作ボタン群
１０c 全灯ボタン
１０d 明るさを調節するボタン
１０e 光色を調節するボタン
１０f ３種類の暖色で点灯するボタン
１０g メモリーボタン
【図１】
2020030927.tif 000003
【図２】
2020030927.tif 000004
【図３】
2020030927.tif 000005
【図４】
2020030927.tif 000006